(57)【要約】      （修正有）【課題】中空室に連通する連通路入口を蒸気結露部の底部より高くすることにより、給湯時以外の電気ケトルの注出側への傾斜、２回目以降の湯沸かし時の蒸気圧或いは蓋取付時の圧力等によって結露水が注出口から流出或いは吹き出したりしないような蒸気レス機能を有する電気ケトルを提供する。【解決手段】容器本体内の液体を加熱する加熱手段と、容器本体の上方に設けられる蓋体とを有し、蓋体には常閉の弁部材５８と、弁部材５８の下流側に位置するとともに注出口３１に連通する中空室５２を有し、沸騰を検知する蒸気検知部３８と、蒸気を結露させる蒸気結露部７０とを有し、容器本体内は、蒸気検知部３８、蒸気結露部７０、中空室５２を介して注出口３１に連通し、蒸気結露部７０と中空室５２とは連通路７５により連通し、連通路７５の蒸気結露部７０側には連通路入口７５aを有し、連通路入口７５aは、蒸気結露部７０の底部より高い電気ケトルである。【選択図】図３
2015033484.tif 000002
【特許請求の範囲】
【請求項１】
容器本体と、前記容器本体内の液体を加熱する加熱手段と、前記容器本体の上方に設けられる蓋体とを有し、前記蓋体には常閉の弁部材と、前記弁部材の下流側に位置するとともに注出口に連通する中空室を有する電気ケトルであって、
前記液体の沸騰を検知する蒸気検知部と、蒸気を結露させる蒸気結露部とを有し、
前記容器本体内は、前記蒸気検知部、前記蒸気結露部、前記中空室を介して前記注出口に連通し、
前記蒸気結露部と前記中空室とは連通路により連通し、
前記連通路の前記蒸気結露部側には連通路入口を有し、
前記連通路入口は、前記蒸気結露部の底部より高いことを特徴とする電気ケトル。
【請求項２】
前記連通路入口は、前記中空室よりも上方または前記中空室の上端部近傍に位置することを特徴とする請求項１に記載の電気ケトル。
【請求項３】
前記連通路は、水平でないことを特徴とする請求項１または２に記載の電気ケトル。
【請求項４】
前記蒸気結露部は蒸気導入口を有し、前記蒸気導入口の軸心は前記連通路入口よりずれていることを特徴とする請求項１ないし３のいずれか一項に記載の電気ケトル。
【発明の詳細な説明】
【技術分野】
【０００１】
本願発明は、電気ケトル、例えば、お湯を沸かして蓋体を外すことなく注湯可能で且つ蒸気レス機能を備えた電気ケトルに関するものである。
【背景技術】
【０００２】
電気ケトルとして例えば、水を入れ、電気で水をわかして蓋体を外すことなく蓋体内の弁部材を開放して給湯する電気ケトルがある。このような電気ケトルは、水を入れた容器本体を電源台に載置し、スイッチを入れることにより内部の水を短時間に沸騰し、沸騰すると蒸気を感知して自動的にスイッチが切れるものであり、広く普及している。
【０００３】
図１４にそのような電気ケトルの一例を示す。電気ケトルは、容器本体１と蓋体２と電源台３を有する。容器本体１は、内部に水が入れられる容器であり、下部にヒーター４を有し、側部に取手５を有する。
【０００４】
前記蓋体２は、弁部材６を有しており、蓋体２の上面に設けられる押圧ボタン７を操作すると弁部材６が下動し、容器本体１内と注出口８を連通する。その状態で電気ケトルを持ち上げて注出口８側に傾けて容器本体１内の湯を給湯することになる。
【０００５】
蓋体２には、その下面に蒸気口９を有し、その上面に蒸気排出口１０を有するとともに、蒸気口９と蒸気排出口１０とを連通し、転倒止水弁１１が介在する第１蒸気通路１２を有する。
【０００６】
また、容器本体１と取手５との間には、上部から下部にまで伸びる第２蒸気通路である蒸気ダクト１３を有し、蒸気ダクト１３の上端は第１蒸気通路１２に連通し、蒸気ダクト１３の下端は容器本体１の下部に配置される蒸気検知手段１４の近傍に開口する。
【０００７】
容器本体１内の水が沸騰すると、蒸気は、蒸気導入口９より第１蒸気通路１２を介して蒸気排出口１０より外部に排出されるとともに、第１蒸気通路１２を流れる蒸気の一部は蒸気ダクト１３内に浸入し、下方へ流れて蒸気検知手段１４に至り、スイッチボタン１５をオフにする（例えば、特許文献１参照）。
【０００８】
ところで、上記従来の蒸気の排出構造は、第１蒸気通路１２より蒸気排出口１０に流れる経路と、第２蒸気通路である蒸気ダクト１３より蒸気検知手段１４に流れる２経路あり、第１蒸気通路１２に流れる蒸気は蒸気排出口１０より勢いよく外部に放出され、蒸気ダクト１３に流れる蒸気は少なくなる。そのため、蒸気排出口１０より勢いよく外部に放出される蒸気により火傷をする等の危険が生じたり、或いは蒸気検知手段１４による蒸気検知が遅れる弊害が生じる。
【０００９】
本願出願人は、上記の弊害をなくすために、蒸気経路を１系統にし、全ての蒸気を蒸気検知手段に流し、蒸気検出手段を経た後の蒸気を蒸気結露部で結露させる電気ケトルをすでに出願している（例えば、特許文献２参照）。
【００１０】
この電気ケトルの蒸気結露部は、外気に連通する第１排出口及び第２排出口を有し、第１排出口は蒸気結露部の前方側である注出口側の底部に開口し、常時は弁部材のシールパッキンにより閉鎖され給湯時に弁部材が開すると注出口に連通し、第２排出口は蒸気結露部の後方側である取手側の上部に常時外気に連通する形態で開口している。
【００１１】
ところで、上記電気ケトルの場合、蒸気結露部に溜まる結露水は、取手を持っての給湯時に注出口から容器本体内の湯とともに排出されて問題を生じないが、第１及び第２排出口の２個の排出口を設ける必要があるとともに、第１排出口を常時閉鎖しなければならず必然的に構造が複雑になる。
【００１２】
このような弊害をなくすために、２つの排出口を第１排出口のみにし、第１排出口を常時開放することが考えられる。しかし、蒸気結露部をそのような構造にすると、給湯時以外に電気ケトルが注出側に傾くと蒸気結露部内の結露水が流れ出たり、２回目以降の湯沸かし時の蒸気圧や蓋取付時の圧力によって結露水が注出口から吹き出す恐れが生じる。
【先行技術文献】
【特許文献】
【００１３】
【特許文献１】特開２００９−１４２６４８号公報
【特許文献２】特願２０１２−１３７４２９号明細書
【発明の概要】
【発明が解決しようとする課題】
【００１４】
本願発明の目的は、そのような課題を解決するもので、中空室に連通する連通路の連通路入口を蒸気結露部の底部より高くすることにより、給湯時以外の電気ケトルの注出側への傾斜、２回目以降の湯沸かし時の蒸気圧或いは蓋取付時の圧力等によって蒸気結露部内の結露水が注出口から流出或いは吹き出したりしないような蒸気レス機能を有する電気ケトルを提供することである。
【課題を解決するための手段】
【００１５】
上記目的を達成するため、本願発明は以下の構成を採用する。
【００１６】
請求項１に係る発明では、容器本体と、前記容器本体内の液体を加熱する加熱手段と、前記容器本体の上方に設けられる蓋体とを有し、前記蓋体には常閉の弁部材と、前記弁部材の下流側に位置するとともに注出口に連通する中空室を有する電気ケトルであって、前記液体の沸騰を検知する蒸気検知部と、蒸気を結露させる蒸気結露部とを有し、前記容器本体内は、前記蒸気検知部、前記蒸気結露部、前記中空室を介して前記注出口に連通し、前記蒸気結露部と前記中空室とは連通路により連通し、前記連通路の前記蒸気結露部側には連通路入口を有し、前記連通路入口は、前記蒸気結露部の底部より高い構成。
【００１７】
なお、蒸気結露部の底部とは、底部が水平な場合は全水平面であり、傾斜している場合は全ての傾斜面であり、湾曲している場合は全ての湾曲面が相当する。また、上流側、下流側は液体または気体が流れる方向に対してのものである。
【００１８】
請求項２に係る発明では、前記連通路入口は、前記中空室よりも上方または前記中空室の上端部近傍に位置する構成。
【００１９】
請求項３に係る発明では、前記連通路は、水平でない構成。
【００２０】
請求項４に係る発明では、前記蒸気結露部は蒸気導入口を有し、前記蒸気導入口の軸心は前記連通路入口よりずれている構成。
【発明の効果】
【００２１】
請求項１に係る発明では、蒸気経路を蒸気検知部、蒸気結露部、中空室及び注出口の蒸気結露部を有する１経路にすることにより、注出口から蒸気が噴出し、例えば火傷する等の弊害を防止することができるとともに、蒸気検知手段の検知機能を高め蒸気の発生量を低減することができる。また、中空室に連通する連通路の連通路入口を蒸気結露部の底部より高くすることにより、給湯時以外に電気ケトルが注出側に傾いたとしても蒸気結露部内の結露水が流れ出たり、或いは２回目以降の湯沸かし時の蒸気圧や蓋取付時の圧力によって結露水が注出口から吹き出る弊害を防止することができる。
【００２２】
請求項２に係る発明では、連通路入口を中空室よりも上方または中空室の上端部近傍にすることにより、給湯時以外に電気ケトルが注出口側に傾いたとしても蒸気結露部内の結露水が流れ出たり、或いは２回目以降の湯沸かし時の蒸気圧や蓋取付時の圧力によって結露水が注出口から吹き出る弊害をより確実に防止することができる。
【００２３】
請求項３に係る発明では、連通路を水平でない状態、例えば、垂直または傾斜状態にすることにより、連通路内の結露水を低減し、結果的に結露水の注出口からの流出を低減することができる。
【００２４】
請求項４に係る発明では、蒸気結露部の蒸気導入口の軸心に対して連通路入口をずらすことにより、蒸気結露部に流入する蒸気が直接連通路に流出する弊害を防止することができる。
【図面の簡単な説明】
【００２５】
【図１】電気ケトルの全体斜視図
【図２】図１の注出口と取手の中心線を含むＡ−Ａ線の一部断面図
【図３】図１のＢ−Ｂ線の一部断面斜視図
【図４】図１のＣ−Ｃ線の一部断面斜視図
【図５】蓋体の蓋本体を上方から見た斜視図
【図６】蓋体の蓋本体を前方側下方から見た斜視図
【図７】蓋体の蓋本体を後方側下方から見た斜視図
【図８】他の例の図１のＢ−Ｂ線の一部断面図
【図９】更に他の例の図１のＢ−Ｂ線の一部断面図
【図１０】蒸気結露部のカバー部材であって、（Ａ）は上方から見た斜視図、（Ｂ）は下方から見た斜視図
【図１１】蒸気結露部のパッキンを上方から見た斜視図
【図１２】弁部材にシールパッキンを設けた状態を上方から見た斜視図
【図１３】容器本体を上方から見た一部斜視図
【図１４】従来の電気ケトルの断面図
【実施例】
【００２６】
図１に電気ケトル全体の斜視図を示し、図２〜図４に図１のＡ−Ａ線、Ｂ−Ｂ線及びＣ−Ｃ線の一部断面図及び一部断面斜視図を示し、図５〜図７に蓋本体の斜視図を示す。なお、以下においては電気ケトルの注出口側を前方側とし、注出口と反対の取手側を後方側とし、前後方向に直交する方向を左右方向とする。
【００２７】
電気ケトルである電気ケトルＳは、容器本体２０、外ケース２４、底ケース２５、蓋体４０及び電源台２６を有する。なお、電気ケトルＳは、容器本体２０と外ケース２４とを有する２重構造のものとして説明するが、外ケース２４がない１重構造のものでもよい。
【００２８】
容器本体２０は、水等を入れる内ケースであり、上方が開口した筒状の部材で、その上方には内方に張り出した環状のフランジ２１を有し、フランジ２１の内径部が容器開口２２となり、その容器開口２２の上面に蓋体４０のシール部材６６が当接する。また、容器本体２０の下面には、加熱手段であり図１４に示すような図示しないヒーター及びソケットを有する。
【００２９】
前記外ケース２４は、容器本体２０の外方に隙間を有して位置する筒状の樹脂製の部材であり、その表面に色ないし模様等を施すことができるためデザイン性が向上する。そして、外ケース２４と容器本体２０との間には断熱空間が形成されるため、外ケース２４が熱くならず安全性が高まる。
【００３０】
前記底ケース２５は、外ケース２４の下方に位置する樹脂製の皿状部材であり、電源台２６に載置される。
【００３１】
前記電源台２６は、底ケース２５の下方に位置する断面逆皿状の樹脂製の部材であり、電気ケトルＳを安定した状態で支持する。電源台２６内にはその中央に円柱状の図示しない接続端子が立設する。そして、電源台２６の上に電気ケトルＳを乗せて電源台２６の図示しないプラグをコンセントに差し込み、取手３５に設けられる押動スイッチ３６を押し下げると接続端子を介してヒーターに通電される。
【００３２】
図１３に示すように、前記容器本体２０のフランジ２１の上方には環状で且つ上方側に向かって若干広がる形状の肩部３０が一体に形成されている。肩部３０の前方側には、外方に向かって先細り形状の注出口３１を有し、注出口３１と反対側の後方側には、下側に第１肩蒸気開口３２を有し、上側に第２肩蒸気開口３３を有し、第１肩蒸気開口３２及び第２肩蒸気開口３３は同じ円形で、それぞれには同形で筒状の第１肩パッキン３２ａ及び第２肩パッキン３３ａが嵌合する。
【００３３】
また、容器本体２０の左右の内面には、係合部３４、３４が設けられており、蓋体４０に設けられる係止片が係合して蓋体４０を固定する。
【００３４】
肩部３０の後方側には、第１肩蒸気開口３２及び第２肩蒸気開口３３を覆う形態で取手３５が設けられる。取手３５内には図示しないスイッチ収納ケース及び蒸気検知部３８等が配設される。
【００３５】
そして、スイッチ収納ケースには取手３５の上端から上方に突き出る押動スイッチ３６がリンク係合し、押動スイッチ３６を押すとスイッチがオンし、容器本体２０内の水が沸騰し、その蒸気が蒸気検知部３８に当たると押動スイッチ３６が上動してスイッチがオフする。
【００３６】
また、肩部３０の第１肩蒸気開口３２及び第２肩蒸気開口３３に対向する取手３５内には若干の容積の取手空間３７が形成されるとともに、その取手空間３７内に蒸気検知部３８が設けられる。蒸気検知部３８は、例えば、薄い板状のバイメタルスイッチであり公知のものである。
【００３７】
前記蓋体４０は、蓋カバー４１及び蓋本体４５を有し、肩部３０に対し着脱自在にされる樹脂部材である。蓋カバー４１は、蓋本体４５の上方を覆う平面視略円形で縦断面円弧状の樹脂部材であり、その上面には、図１に示すように蓋体４０と肩部３０の係合部３４、３４との結合及び解除を行うための２個の開閉レバー４２、４２が左右方向に対向して配置され、更に２個の開閉レバー４２、４２間で且つ前方寄りには弁部材５８を開閉するための押圧ボタン４３が配置される。
【００３８】
前記蓋本体４５は、下方寄りに略水平な区画壁４６と、上下方向の外周壁４７を有し、その上下に上方が開口した大きな空間の上部室４８と、下方が開口した小さな空間の下部室４９を形成する。そして上部室４８には、２個の開閉レバー４２、４２と、１個の押圧ボタン４３が配置される。
【００３９】
２個の開閉レバー４２、４２は、共に指で押圧する把持部４２ａ、４２ａと把持部４２ａ、４２ａの外方に形成される図示しない係止片を有し、図示しないスプリングを介して対向して配置されるもので、常時はお互い離れる方向に付勢され、それぞれの係止片を肩部３０の係合部３４、３４に係合して蓋体４０を閉蓋する。
【００４０】
また、押圧ボタン４３は、弁部材５８の上端部に図示しないスプリングを介して当接し、上方から押されると下動し、図示しないストッパ機構により、下動した位置で停止され、再度押されると停止が解除されてスプリングの作用により上動する公知のものである。そして、上部室４８には蒸気が浸入しないようにされている。
【００４１】
前記下部室４９は、容器本体２０で発生する蒸気が侵入する空間で、その前方側には、同心状で円形の外垂直壁５０及び内垂直壁５１が垂下している。外垂直壁５０は内垂直壁５１よりも長いがいずれも下部室４９を形成する外周壁４７より短く、その下端は下部室４９内に位置し、内垂直壁５１の下端には弁部材５８のシールパッキン５９が当接する。
【００４２】
そして、内垂直壁５１とその上部の区画壁４６とで下方開放の中空室５２を形成する。また、図６及び図７に示すように、円形の内垂直壁５１内の後方側には、内垂直壁５１と同じ高さのコ字状垂直壁５３が設けられ、内垂直壁５１の一部とコ字状垂直壁５３とでコ字状空間５４が形成される。そして、コ字状空間５４には給湯時に中空室５２に空気を取り入れるための吸気通路６５の他端が開口する。
【００４３】
内垂直壁５１の下端に弁部材５８のシールパッキン５９が当接すると、内部に注出空間である中空室５２を形成する。この中空室５２の前方側には図６に示すように注出ダクト５５が連通するように一体に形成されており、蓋体４０が肩部３０を閉蓋するとこの注出ダクト５５は注出口３１に連接する。
【００４４】
下部室４９には、樹脂製で縦断面逆Ｔ字状の弁部材５８が配設される。弁部材５８は弁本体５８ａ及び弁棒５８ｂを有する一体成形部材である。弁本体５８ａは、平面視円形の部材であり、その外周部には略環状のシールパッキン５９が嵌合される。なお、シールパッキン５９は、図１２に示すように弁本体５８ａの上面は略矩形状の開口を有し、その外周部で内垂直壁５１の下端に当接して容器本体２０内と中空室５２との連通を遮断し、その後方側の破線で示す領域Ｒで前記コ字状空間５４を閉鎖する。
【００４５】
弁棒５８ｂは、弁本体５８ａの上面中央に立設し、弁部材５８が下部室４９に配置されると上部室４８に進入し、その上端は押圧ボタン４３の下端部近傍に至り、押圧ボタン４３が押圧されると弁本体５８ａを下動する。
【００４６】
弁部材５８は、通常時、図示しないスプリングの作用により上動されており、弁本体５８ａの外周に嵌合されるシールパッキン５９の上面は内垂直壁５１及びコ字状垂直壁５３の下端に当接し、容器本体２０内と中空室５２とを遮断し、コ字状空間５４を閉鎖するが、押圧ボタン４３が押し下げられる給湯時には弁部材５８は下動し、容器本体２０内と注出口３１とを連通する。
【００４７】
前記下部室４９の後方側の外周壁４７には、図６及び図７に示すように下部室４９と外部とを連通する円形の第１蓋蒸気開口６２と、第１蓋蒸気開口６２の直上に第２蓋蒸気開口６３を有する。そして、第１蓋蒸気開口６２は下部室４９に連通し、第２蓋蒸気開口６３は図５に示すように上部室４８の後記する蒸気結露部７０の蒸気導入口７４に連通する。
【００４８】
また、第１蓋蒸気開口６２及び第２蓋蒸気開口６３の右側には、吸気取入口６４が開口する。前記区画壁４６には前後方向に伸びる吸気通路６５が設けられており、この吸気通路６５の一端は前記吸気取入口６４に連通し、吸気通路６５の他端は前記コ字状空間５４に連通する。そして、給湯時、図４に示すように、蓋体４０の外周面と肩部３０の内周面との間から矢印（１）で示すように取り込まれる外気は、吸気通路６５内を矢印（２）で示すように流れ、次いで矢印（３）で示すようにコ字状空間５４を介して中空室５２に取り込まれ、容器本体２０内の湯の流出を助ける。
【００４９】
前記蓋本体４０の下端部には、環状のシール部材６６が嵌合されており、蓋体４０が肩部３０に嵌合されると、シール部材６６は容器開口２２を閉鎖する。
【００５０】
前記蓋本体４５の上部室４８には蒸気結露部７０が形成される。蒸気結露部７０は図５に示すように略扇形状であり、後方側から前方側に向かって、扇状空間７１、矩形状空間７２及び前後方向に長い細長空間７３を有する。
【００５１】
前記扇状空間７１は内周壁の面積を大きくするためのもので蒸気の結露を良好にする。扇状空間７１の後方側の外周壁４７の中央下部には蒸気導入口７４が開口する。この蒸気導入口７４は、第２蓋蒸気開口６３及び第２肩蒸気開口３３を介して蒸気検知部３８が配置される取手空間３７に連通するとともに、更に第１肩蒸気開口３２、第１蓋蒸気開口６２を介して容器本体２０内に連通する。
【００５２】
そのため、図２で矢印（１）、（２）で示すように、容器本体２０内で発生した蒸気は、下部室４９、第１蓋蒸気開口６２、第１肩蒸気開口３２、蒸気検知部３８が配置される取手空間３７、第２肩蒸気開口３３、第２蓋蒸気開口６３及び蒸気導入口７４を介してより広い空間である扇状空間７１に流入し、膨張し、温度降下して結露する。
【００５３】
また、扇状空間７１にはカバー部材７６をねじ止めするための２個の結露部ねじボス７１ａ、７１ａが設けられ、これら結露部ねじボス７１ａ、７１ａにはねじを螺合するための結露部ねじ開口７１ｂ、７１ｂが形成される。
【００５４】
前記矩形状空間７２は扇状空間７１より小さい空間であり、蒸気導入口７４より導入される蒸気を前方側の壁に当てて広い範囲に拡散させるとともに、扇状空間７１と矩形状空間７２とで内周壁の面積をより大きくして蒸気の結露をより良好にする。
【００５５】
前記細長空間７３は矩形状空間７２の一方側、この例では左側に前方に伸びる形態で設けられており、その先端には連通路７５が上下方向に開口する。図３に示すようにこの連通路７５は垂直で、その下流側は中空室５２に連通する。そして、連通路７５の細長空間７３側の連通路入口７５ａは細長空間７３の底部は勿論のこと、扇状空間７１及び矩形状空間７２の底部よりも高い位置に設けられている。この例では中空室５２よりも上方である。
【００５６】
そのため、蒸気結露部７０内に溜まった結露水が容易に中空室５２内に流出することはない。即ち、給湯時以外に電気ケトルＳを注出口３１側に傾けても蒸気結露部７０内の結露水が容易に流出することはなく、また、２回目以降の湯沸かし時の蒸気圧や蓋体４０の取付時の圧力によっても結露水が注出口３１から吹き出ることもない。更に、連通路７５を垂直にすることにより連通路７５内に結露水が溜まる弊害を防止することができる。
【００５７】
なお、連通路入口７５ａは蒸気導入口７４の軸心よりずれているため、蒸気結露部７０に流入する蒸気が直接連通路入口７５ａから流出することはなくなる。より具体的には、蒸気導入口７４の軸心は図１のＡ−Ａ線上にあり、連通路入口７５ａはＢ−Ｂ線上にある。このずれ量は多少でもよいができるだけ離れた方が蒸気及び結露水の流出量が少なくなるため好ましい。
【００５８】
前記蒸気結露部７０の上端部にはカバー部材７６及びパッキン８０が設けられる。前記カバー部材７６は、蒸気結露部７０の上方を覆う樹脂製の部材で、その全体を図１０に示す。
【００５９】
カバー部材７６は、蒸気結露部７０と同様の略扇形状であり、後方側から前方側に向かって、扇状カバー部７６ａ、矩形状カバー部７６ｂ及び前後方向に長い細長カバー部７６ｃを有し、扇状カバー部７６ａは扇状空間７１の上方をカバーし、矩形状カバー部７６ｂは矩形状空間７２の上方をカバーし、細長カバー部７６ｃは細長空間７３をカバーする。
【００６０】
カバー部材７６の扇状カバー部７６ａには下方に垂下する２個のカバーねじボス７７、７７が垂下し、これらカバーねじボス７７、７７にはそれぞれねじを挿通するためのねじ開口７７ａ、７７ａが設けられる。
【００６１】
カバー部材７６の底面の外周端７６ｄ近傍には、外周端７６ｄより長さの短い係止段部７９が外周端７６ｄに沿って垂下している。この係止段部７９はパッキン８０の外周部を挟持して蒸気結露部７０内をシールする。また、カバー部材７６の底面には複数の補強用のリブ７８が設けられる。
【００６２】
前記パッキン８０は、図１１に示すように蒸気結露部７０及びカバー部材７６と同様の略扇形状であり、後方側から前方側に向かって、扇状パッキン部８０ａ、矩形状パッキン部８０ｂ及び前後方向に長い細長パッキン部８０ｃを有し、扇状パッキン部８０ａは扇状空間７１の上方をカバーし、矩形状パッキン部８０ｂは矩形状空間７２の上方をカバーし、細長パッキン部８０ｃは細長空間７３をカバーする。扇状パッキン部８０ａには複数個の開口部８１が設けられ、細長パッキン部８０ｃの先端には細長開口部８２が設けられる。また、パッキン８０の底面には外周に沿う形態で短い長さの外周リブ８０ｄが垂下している。この外周リブ８０ｄの形状は蒸気結露部７０の形状より若干大きい相似形で、蒸気結露部７０の外周端に外方より嵌合する。
【００６３】
その取付けは、まず、蒸気結露部７０の外周端上にパッキン８０の外周リブ８０ｄを嵌合し、その後、カバー部材７６を取り付け、ねじ開口７７ａ、７７ａからねじを挿通し、挿通したねじを蒸気結露部７０の結露部ねじ開口７１ｂに螺合してカバー部材７６及びパッキン８０を蒸気結露部７０にねじ止めする。
【００６４】
蒸気結露部７０にカバー部材７６及びパッキン８０をねじ止めすると、カバー部材７６のリブ７８によりカバー部材７６とパッキン８０との間にカバー空間８３が形成される。このカバー空間８３はパッキン８０に設けられる複数個の開口部８１を介して蒸気結露部７０内と連通する。そのため、蒸気結露部７０の表面積が増大して蒸気の結露効率が高まる。
【００６５】
蒸気等の流れを図３により説明する。容器本体２０内に水を入れて押動スイッチ３６をオンすると、加熱手段により内部の水が沸騰する。すると矢印（１）で示すように発生した蒸気は、下部室４９より第１蓋蒸気開口６２及び第１肩蒸気開口３２を介して蒸気検知部３８が配置される取手空間３７に流入し、蒸気検知部３８が蒸気を検知すると押動スイッチ３６をオフする。即ち、蒸気検知部３８は発生初期の蒸気を検知して押動スイッチ３６をオフするため、蒸気の発生量を低く抑えることができる。
【００６６】
次いで取手空間３７内の蒸気は、矢印（２）で示すように第２肩蒸気開口３３、第２蓋蒸気開口６３及び蒸気導入口７４を介して蒸気結露部７０内に流入し、ほぼ全ての蒸気が結露する。そして、結露後の空気は矢印（４）で示すように連通路７５を通って中空室５２に至り、その後矢印（５）、（６）を通って注出口３１から外部に出る。
【００６７】
ところで、蒸気結露部７０内で結露した結露水は蒸気結露部７０内に溜まるが、連通路７５の連通路入口７５ａは蒸気結露部７０の底部より高い位置にあるため、給湯時以外に電気ケトルＳを注出口３１側に傾けても蒸気結露部７０内の結露水が容易に流出することはなく、また、２回目以降の湯沸かし時の蒸気圧や蓋体４０の取付時の圧力によっても結露水が注出口３１から吹き出ることもない。
【００６８】
なお、蒸気結露部７０内に開口する蒸気導入口７４は蒸気結露部７０の底部近傍に設けられているため、蒸気結露部７０に結露水がある量溜まると溜まった結露水は、前記した蒸気が流れる経路を逆に流れて容器本体２０内に戻る。このように蒸気導入口７４を蒸気結露部７０の底部近傍に設けることにより蒸気結露部７０に溜まる結露水を低減することができる。ところで、給湯時、電気ケトルＳを傾けることにより蒸気結露部７０内の結露水は中空室５２に流出し、湯とともに排出される。
【００６９】
図８に連通路の変形例を示す。上記したものとの相違は連通路のみであり、その他については同じであり同じ符号で示す。
【００７０】
この例のものは、連通路９０を傾斜し、その上流側の先端を連通路入口９０ａにするものである。このようにすることによっても上記のものと同様な効果を奏することができるとともに、連通路９０内に結露水が溜まる弊害をも防止することができる。
【００７１】
図９に連通路の更なる変形例を示す。上記したものとの相違は連通路のみであり、その他については同じであり同じ符号で示す。
【００７２】
この例のものは、連通路９５を水平にし、その上流側の先端を連通路入口９５ａにするものである。このようにすることによっても上記のものと同様な効果を奏することができる。この例の場合、連通路入口９５ａは中空室５２の上端部近傍になる。なお、この例のものでは連通路９５内に結露水が溜まる恐れがある。反面この例のものは、給湯時に電気ケトルＳを傾けた場合の蒸気結露部７０内の結露水の排出は他のものに比べてよくなる利点を有する。
【００７３】
本願発明は、前記実施例の構成に限定されるものではなく、発明の要旨を逸脱しない範囲において適宜設計変更可能である。
【符号の説明】
【００７４】
Ｓ…電気ケトル                ２０…容器本体
２１…フランジ                ２２…容器開口
２４…外ケース                ２５…底ケース
２６…電源台                  ３０…肩部
３１…注出口                  ３２…第１肩蒸気開口
３２ａ…第１肩パッキン        ３３…第２肩蒸気開口
３３ａ…第２肩パッキン        ３４…係合部
３５…取手                    ３６…押動スイッチ
３７…取手空間                ３８…蒸気検知部
４０…蓋体                    ４１…蓋カバー
４２…開閉レバー              ４２ａ…把持部
４３…押圧ボタン              ４５…蓋本体
４６…区画壁                  ４７…外周壁
４８…上部室                  ４９…下部室
５０…外垂直壁                ５１…内垂直壁
５２…中空室                  ５３…コ字状垂直壁
５４…コ字状空間              ５５…注出ダクト
５８…弁部材                  ５８ａ…弁本体
５８ｂ…弁棒                  ５９…シールパッキン
６２…第１蓋蒸気開口          ６３…第２蓋蒸気開口
６４…吸気取入口              ６５…吸気通路
６６…シール部材              ７０…蒸気結露部
７１…扇状空間                ７１ａ…結露部ねじボス
７１ｂ…結露部ねじ開口        ７２…矩形状空間
７３…細長空間                ７４…蒸気導入口
７５…連通路                  ７５ａ…連通路入口
７６…カバー部材              ７６ａ…扇状カバー部
７６ｂ…矩形状カバー部        ７６ｃ…細長カバー部
７６ｄ…外周端                ７７…カバーねじボス
７７ａ…ねじ開口              ７８…リブ
７９…係止段部                ８０…パッキン
８０ａ…扇状パッキン部        ８０ｂ…矩形状パッキン部
８０ｃ…細長パッキン部        ８０ｄ…外周リブ
８１…開口部                  ８２…細長開口部
８３…カバー空間              ９０…連通路
９０ａ…連通路入口            ９５…連通路
９５ａ…連通路入口
【図１】
2015033484.tif 000003
【図２】
2015033484.tif 000004
【図３】
2015033484.tif 000005
【図４】
2015033484.tif 000006
【図５】
2015033484.tif 000007
【図６】
2015033484.tif 000008
【図７】
2015033484.tif 000009
【図８】
2015033484.tif 000010
【図９】
2015033484.tif 000011
【図１０】
2015033484.tif 000012
【図１１】
2015033484.tif 000013
【図１２】
2015033484.tif 000014
【図１３】
2015033484.tif 000015
【図１４】
2015033484.tif 000016